(57)【特許請求の範囲】
【請求項１】
カルテ情報を含む医療情報が記憶された医療データベースを備え、医療従事者に前記医療情報に基づく情報処理サービスを提供する医療情報システムにおいて、
前記医療データベースが、前記医療情報のほかに、コンテンツが記憶されたコンテンツデータベースと、該コンテンツの提供者との間に締結された使用許諾契約条項が記憶された使用許諾条件管理データベースとを含むとともに、該医療データベースの利用者の利用権を認証するための認証情報と、前記コンテンツについて、該使用許諾契約条項に対する利用者別の同意の有無を記録した同意記録とが記憶された利用者データベースを含むものであり、
前記医療情報を画面上に表示する表示装置と、
利用者による前記医療データベースの利用に際して、前記利用者データベースに記憶された認証情報に基づき該利用者の前記医療データベースの利用権を認証する利用権認証手段と、
前記利用権認証手段により認証された利用者による前記コンテンツの使用に際して、前記同意記録を参照して該利用者による前記コンテンツの使用許諾契約条項への同意の有無を判定する同意有無判定手段と、
前記同意有無判定手段による判定の結果、同意の有無について未確認の場合、および不同意である旨が記録されている場合は、前記使用許諾契約条項を前記表示装置に表示し該使用許諾契約条項への該利用者による同意の有無を確認するとともに該確認の結果に基づき前記同意記録を更新する同意確認手段と、
前記同意確認手段による確認の結果、同意である旨が確認された場合、および前記同意有無判定手段による判定の結果、同意である旨が記録されている場合に、前記利用者による前記コンテンツデータベースに記憶されたコンテンツの使用を許可するコンテンツ使用許可手段とを備えたことを特徴とする医療情報システム。
【請求項２】
前記同意確認手段が、前記使用許諾契約条項を前記表示装置に表示するとともに該使用許諾契約条項および前記同意記録の内容を外部に出力する外部出力手段を備えたことを特徴とする請求項１記載の医療情報システム。
【請求項３】
システム管理者の操作に基づき前記使用許諾契約条項および前記同意記録を複数の利用者について一括して前記使用許諾条件管理データベースと利用者データベースに登録することのできる一括登録手段を備えたことを特徴とする請求項１記載の医療情報システム。
【請求項４】
コンピュータシステム上に、カルテ情報を含む医療情報が記憶され、さらに、コンテンツが記憶されたコンテンツデータベースを含むとともに、該医療データベースの利用者の利用権を認証するための認証情報と、前記コンテンツについて、該コンテンツの提供者との間に締結された使用許諾契約条項が記憶された使用許諾条件管理データベースと、該使用許諾契約条項に対する利用者別の同意の有無を記録した同意記録とが記憶された利用者データベースを含む医療データベースを備えた、医療従事者に前記医療情報に基づく情報処理サービスを提供する医療情報システムを構築する医療情報プログラムが記憶された医療情報プログラム記憶媒体において、
利用者による前記医療データベースの利用に際して、前記利用者データベースに記憶された認証情報に基づき該利用者の前記医療データベースの利用権を認証する利用権認証手段と、
前記利用権認証手段により認証された利用者による前記コンテンツの使用に際して、前記同意記録を参照して該利用者による前記コンテンツの使用許諾契約条項への同意の有無を判定する同意有無判定手段と、
前記同意有無判定手段による判定の結果、同意の有無について未確認の場合、および不同意である旨が記録されている場合は、前記使用許諾契約条項を前記表示装置に表示し該使用許諾契約条項への該利用者による同意の有無を確認するとともに該確認の結果に基づき前記同意記録を更新する同意確認手段と、
前記同意確認手段による確認の結果、同意である旨が確認された場合、および前記同意有無判定手段による判定の結果、同意である旨が記録されている場合に、前記利用者による前記コンテンツデータベースに記憶されたコンテンツの使用を許可するコンテンツ使用許可手段とを備えた医療情報プログラムが記憶されたことを特徴とする医療情報プログラム記憶媒体。
【発明の詳細な説明】
【０００１】
【発明の属する技術分野】
本発明は、医療従事者に医療情報に基づく情報処理サービスを提供する医療情報システム、およびその医療情報システムをコンピュータ上に構築するための医療情報プログラム記憶媒体に関する。
【０００２】
【従来の技術】
従来から、カルテ情報を電子化しクライアントアンドサーバシステムのデータベースに記憶して医療情報処理を行う、いわゆる電子カルテシステムとよばれる医療情報システムの開発が進められ次第に普及しつつある。
【０００３】
最近、医学用語集や症例集などのコンテンツを収納したＣＤ−ＲＯＭなどが市販されるようになり、医療情報システムの利用者から、このようなコンテンツを医療情報システム上でも利用したいという要求が増えている。具体的に、例えば、医療情報システムの画面上に表示されたカルテ情報の中のキーワードについて、ＣＤ−ＲＯＭとして頒布されている症例集の中から類似の症例を検索してみたいというような要求がある。
【０００４】
【発明が解決しようとする課題】
しかし、このようなコンテンツを収納したＣＤ−ＲＯＭなどを各利用者毎に購入して利用するというのでは、コンテンツの検索操作、整理保管、バージョンの管理などの上からも、また、コンテンツの購入費用の上からも好ましいことではない。そこで、クライアントアンドサーバシステムとしてコンテンツソフトの提供者と一括ライセンス契約によりコンテンツを購入してデータベースにインストールしておき、各利用者はクライアントマシンからネットワークを介してそれを利用するという方法が考えられる。
【０００５】
しかし、通常のコンテンツソフトは、ソフト提供者により作成された使用許諾契約条項に同意した利用者のみに使用が許諾されるという前提条件で頒布されるものがほとんどである。
【０００６】
図１０は、ソフトウエアの使用許諾契約書の一例を示す図である。
【０００７】
一般に、スタンドアローンのパーソナルコンピュータの場合は、ソフトウエアをインストールする際に、図１０に示すような使用許諾契約書が画面上に表示され、利用者はその使用許諾契約書に記載された条項について同意する旨を入力しない限りインストールが実行されないようになっていることが多い。また、ソフトウエアのパッケージの梱包を解く前に利用者に使用許諾契約書を読むことを要求し、利用者が梱包を解いたらその使用許諾契約書に書いてある条項に同意したものとみなすと定めてある場合もある。
【０００８】
医療情報システムのようなクライアントアンドサーバシステムにおいて、上記のようなコンテンツソフトをデータベースにインストールして各クライアントマシンで利用する場合にも、コンテンツソフト毎に、その使用許諾契約条項に対する各利用者の同意の有無をクライアントアンドサーバシステムとして管理しておく必要がある。
【０００９】
しかし、単にサーバマシンのデータベースにコンテンツソフトをインストールしただけでは、クライアントマシン側の各利用者はそのコンテンツソフトの使用許諾契約条項を読まないでも使用することができてしまうので、クライアントアンドサーバシステムとして使用許諾契約条項に対する各利用者の同意の有無を把握することができない。
【００１０】
本発明は、上記の事情に鑑み、コンテンツの使用許諾契約条項に対する利用者の同意の有無を管理することのできる医療情報システムおよび医療情報プログラム記憶媒体を提供することを目的とする。
【００１１】
【課題を解決するための手段】
上記の目的を達成する本発明の医療情報システムは、
カルテ情報を含む医療情報が記憶された医療データベースを備え、医療従事者にその医療情報に基づく情報処理サービスを提供する医療情報システムにおいて、
上記医療データベースが、上記医療情報のほかに、コンテンツが記憶されたコンテンツデータベースと、そのコンテンツの提供者との間に締結された使用許諾契約条項が記憶された使用許諾条件管理データベースとを含むとともに、その医療データベースの利用者の利用権を認証するための認証情報と、上記コンテンツについて、その使用許諾契約条項に対する利用者別の同意の有無を記録した同意記録とが記憶された利用者データベースを含むものであり、
上記医療情報を画面上に表示する表示装置と、
利用者による上記医療データベースの利用に際して、上記利用者データベースに記憶された認証情報に基づきその利用者の上記医療データベースの利用権を認証する利用権認証手段と、
上記利用権認証手段により認証された利用者による上記コンテンツの使用に際して、上記同意記録を参照してその利用者による上記コンテンツの使用許諾契約条項への同意の有無を判定する同意有無判定手段と、
上記同意有無判定手段による判定の結果、同意の有無について未確認の場合は、上記使用許諾契約条項を上記表示装置に表示しその使用許諾契約条項へのその利用者による同意の有無を確認するとともに確認の結果に基づき上記同意記録を更新する同意確認手段と、
上記同意確認手段による確認の結果、同意である旨が確認された場合、および上記同意有無判定手段による判定の結果、同意である旨が記録されている場合に、上記利用者による上記コンテンツデータベースに記憶されたコンテンツの使用を許可するコンテンツ使用許可手段とを備えたことを特徴とする。
【００１２】
ここで、上記同意確認手段が、上記使用許諾契約条項を上記表示装置に表示するとともにその使用許諾契約条項および上記同意記録の内容を外部に出力する外部出力手段を備えたものであってもよい。
【００１３】
また、この医療情報システムが、システム管理者の操作に基づき上記使用許諾契約条項および上記同意記録を複数の利用者について一括して上記使用許諾条件管理データベースと利用者データベースに登録することのできる一括登録手段を備えたものであってもよい。
【００１４】
また、上記の目的を達成する本発明の医療情報プログラム記憶媒体は、
コンピュータシステム上に、カルテ情報を含む医療情報が記憶され、さらに、コンテンツが記憶されたコンテンツデータベースを含むとともに、その医療データベースの利用者の利用権を認証するための認証情報と、上記コンテンツについて、そのコンテンツの提供者との間に締結された使用許諾契約条項が記憶された使用許諾条件管理データベースと、その使用許諾契約条項に対する利用者別の同意の有無を記録した同意記録とが記憶された利用者データベースを含む医療データベースを備えた、医療従事者に上記医療情報に基づく情報処理サービスを提供する医療情報システムを構築する医療情報プログラムが記憶された医療情報プログラム記憶媒体において、
利用者による上記医療データベースの利用に際して、上記利用者データベースに記憶された認証情報に基づきその利用者の上記医療データベースの利用権を認証する利用権認証手段と、
上記利用権認証手段により認証された利用者による上記コンテンツの使用に際して、上記同意記録を参照してその利用者による上記コンテンツの使用許諾契約条項への同意の有無を判定する同意有無判定手段と、
上記同意有無判定手段による判定の結果、同意の有無について未確認の場合は、上記使用許諾契約条項を所定の表示装置に表示しその使用許諾契約条項へのその利用者による同意の有無を確認するとともにその確認の結果に基づき上記同意記録を更新する同意確認手段と、
上記同意確認手段による確認の結果、同意である旨が確認された場合、および上記同意有無判定手段による判定の結果、同意である旨が記録されている場合に、上記利用者による上記コンテンツデータベースに記憶されたコンテンツの使用を許可するコンテンツ使用許可手段とを備えた医療情報プログラムが記憶されたことを特徴とする。
【００１５】
【発明の実施の形態】
以下、本発明の実施形態について説明する。
【００１６】
図１は、本発明の医療情報システムの一実施形態が構築されてなるコンピュータシステムの一部分を示す図である。
【００１７】
ここには、医療データベースがその上に構築される２台のサーバマシン１００，２００および３台のクライアントマシン３００，４００，５００が例示的に示されており、サーバマシン１００，２００およびクライアントマシン３００，４００，５００は通信ネットワーク６００を介して互いに接続されている。２台のサーバマシン１００，２００は、一般に、大型汎用機やワークステーションなどの高速かつ大容量のコンピュータシステムで構成されている。また、３台のクライアントマシン３００，４００，５００は、パーソナルコンピュータまたはワークステーションなどの比較的小型のコンピュータシステムで構成されている。
【００１８】
各サーバマシン１００，２００および各クライアントマシン３００，４００，５００は、ＣＰＵ（中央処理装置）、ＲＡＭ（ランダムアクセスメモリ）、ハードディスク、通信用ボード等が内蔵された本体部１０１，２０１，３０１，４０１，５０１、本体部１０１，２０１，３０１，４０１，５０１からの指示により表示画面１０２ａ，２０２ａ，３０２ａ，４０２ａ，５０２ａ上に画像や文字列を表示する表示部１０２，２０２，３０２，４０２，５０２、サーバマシン１００，２００およびクライアントマシン３００，４００，５００に利用者の指示を入力するためのキーボード１０３，２０３，３０３，４０３，５０３、表示画面１０２ａ，２０２ａ，３０２ａ，４０２ａ，５０２ａ上の任意の位置を指定することにより、その指定時にその位置に表示されていたアイコン等に応じた指示を入力するマウス１０４，２０４，３０４，４０４，５０４を備えている。
【００１９】
また、２台のサーバマシン１００，２００のハードディスクには、カルテ情報を含む医療情報が記憶された医療データベースがそれぞれ構築されており、各医療従事者はクライアントマシン３００，４００，５００から通信ネットワーク６００を介してサーバマシン１００，２００上の医療データベースにアクセスすることができるようになっている。
【００２０】
各サーバマシンの本体部１０１，２０１は、外観上、ＦＤ（フロッピィディスク：図示せず）、ＣＤ−ＲＯＭ７００が装填されるＦＤドライブ１０１ａ，２０１ａ；ＣＤ−ＲＯＭドライブ１０１ｂ，２０１ｂを有しており、それらの内部には、それらのドライブ１０１ａ，２０１ａ；１０１ｂ，２０１ｂから装填されたフロッピィディスク、ＣＤ−ＲＯＭ７００をドライブする、フロッピィディスクドライバ、ＣＤ−ＲＯＭドライバも内蔵されている。
【００２１】
同様に、各クライアントマシンの本体部３０１，４０１，５０１は、外観上、フロッピィディスク（図示せず）、ＣＤ−ＲＯＭ７００が装填されるＦＤドライブ３０１ａ，４０１ａ，５０１ａ；ＣＤ−ＲＯＭドライブ３０１ｂ，４０１ｂ，５０１ｂを有しており、それらの内部には、それらのドライブ３０１ａ，４０１ａ，５０１ａ；３０１ｂ，４０１ｂ，５０１ｂから装填されたフロッピィディスク、ＣＤ−ＲＯＭ７００をドライブするフロッピィディスクドライバ、ＣＤ−ＲＯＭドライバも内蔵されている。
【００２２】
図２は、図１に示す外観を有する医療情報システム（コンピュータシステム）のハードウェア構成図である。
【００２３】
このハードウェア構成図には、ＣＰＵ１１１、ＲＡＭ１１２、ハードディスクコントローラ１１３、フロッピィディスクドライバ１１４、ＣＤ−ＲＯＭドライバ１１５、マウスコントローラ１１６、キーボードコントローラ１１７、ディスプレイコントローラ１１８、および通信用ボード１１９が示されており、それらはバス１１０で相互に接続されている。
【００２４】
フロッピィディスクドライバ１１４、ＣＤ−ＲＯＭドライバ１１５は、図１を参照して説明したように、それぞれフロッピィディスク７１０、ＣＤ−ＲＯＭ７００が装填され、装填されたフロッピィディスク７１０、ＣＤ−ＲＯＭ７００をドライブするものである。
【００２５】
通信用ボード１１９は通信ネットワーク６００に接続される。
【００２６】
また、図２には、ハードディスクコントローラ１１３によりアクセスされるハードディスク１２０、マウスコントローラ１１６により制御されるマウス１０４、キーボードコントローラ１１７により制御されるキーボード１０３、およびディスプレイコントローラ１１８により制御されるＣＲＴディスプレイ１０２も示されている。
【００２７】
以上説明したコンピュータシステム上に本発明の情報処理システムが構築され運用される。
【００２８】
図３は、本発明の医療情報システムの一実施形態の概略構成図である。
【００２９】
図３に示すように、この医療情報システム１は、カルテ情報を含む医療情報が記憶された医療データベース１０を備えており、各医療従事者に対して、医療データベース１０に記憶された医療情報に基づく情報処理サービスを提供するコンピュータシステムとして構成されている。
【００３０】
この医療データベース１０は、図１に示したサーバマシン１００，２００内の記憶装置上に構築され、これらのサーバマシン１００，２００と通信ネットワーク６００で結ばれた複数のクライアントマシン３００，４００，５００に接続されこれらの各クライアントマシンから医療データベース１０にアクセスできるようになっている。
【００３１】
医療データベース１０は、医療情報のほかに、複数のコンテンツ１２ａが記憶されたコンテンツデータベース１２と、それらのコンテンツの提供者との間に締結された使用許諾契約条項１３ａが記憶された使用許諾条件管理データベース１３とを含むとともに、医療データベース１０の利用者の利用権を認証するための認証情報１１ａと、使用許諾契約条項に対する利用者別の同意の有無を記録した同意記録１１ｃとが記憶された利用者データベース１１を含んでいる。
【００３２】
クライアントマシン３００，４００，５００には、利用権認証手段２１と、同意有無判定手段２２と、同意確認手段２３と、コンテンツ使用許可手段２４とが備えられている。
【００３３】
利用権認証手段２１は、利用者による医療データベース１０の利用に際して、利用者データベース１１に記憶された認証情報１１ａに基づき利用者の医療データベース１０の利用権を認証するものである。
【００３４】
同意有無判定手段２２は、利用権認証手段２１により認証された利用者によるコンテンツ１２ａの使用に際して、同意記録１１ｃを参照して利用者によるコンテンツ１２ａの使用許諾契約条項１３ａへの同意の有無を判定するものである。
【００３５】
同意確認手段２３は、同意有無判定手段２２による判定の結果、同意の有無について未確認の場合、および不同意である旨が記録されている場合は、使用許諾契約条項１３ａをそれぞれの表示装置３０２，４０２，５０２に表示して使用許諾契約条項１３ａへの利用者による同意の有無を確認するとともにその確認の結果に基づき同意記録１１ｃを更新するものである。
【００３６】
コンテンツ使用許可手段２４は、同意確認手段２３による確認の結果、同意である旨が確認された場合、および同意有無判定手段２２による判定の結果、同意である旨が記録されている場合に、利用者によるコンテンツデータベース１２に記憶されたコンテンツ１２ａの使用を許可するものである。
【００３７】
さらに、本実施形態の医療情報システムでは、同意確認手段２３が、使用許諾契約条項１３ａを表示装置３０２，４０２，５０２に表示するとともに使用許諾契約条項１３ａおよび同意記録１１ｃの内容を外部に出力する外部出力手段２５を備えている。
【００３８】
サーバマシン１００，２００には一括登録手段２６が備えられている。この一括登録手段２６は、システム管理者の操作に基づき使用許諾契約条項１３ａおよび同意記録１１ｃを複数の利用者について一括して利用者データベース１１に登録するためのものである。
【００３９】
次に、利用者データベース１１の各構成要素について説明する。
【００４０】
認証情報１１ａには、この医療情報システムの各利用者の利用権を認証するための各利用者のＩＤ（識別記号）およびパスワードが記憶されている。
【００４１】
使用許諾契約条項１３ａには、この医療情報システムとしてコンテンツ提供者との間に一括ライセンス契約を結んだ複数のコンテンツの使用許諾契約条項の内容が記憶されている。
【００４２】
同意記録１１ｃについては、図４を参照して説明する。
【００４３】
図４は、本実施形態における利用者データベース内の同意記録の内容を示す図である。
【００４４】
図４に示すように、利用者データベース内の同意記録１１ｃには、各コンテンツ別・各利用者別の、同意の日付１１ｃ＿１、不同意の日付１１ｃ＿２、または未確認である旨の記録１１ｃ＿３、および利用の日付１１ｃ＿４が記録されている。
【００４５】
図５は、本発明の医療情報システムの一実施形態の動作を示す流れ図である。
【００４６】
以下に、図３、図４，および図５を参照しながら本実施形態の医療情報システムの動作について説明する。
【００４７】
利用者がこの医療情報システムにアクセスしＩＤおよびパスワードを入力すると、利用権認証手段２１は、認証情報１１ａに基づきその利用者の医療データベース１０の利用権を認証する（ステップＳ１）。利用権が認証された場合はステップＳ１以降の処理に進み、それ以外の場合はステップＳ１以降の処理に進むことはできない。
【００４８】
次に、認証を受けた利用者により所望のコンテンツが指定されると（ステップＳ２）、同意有無判定手段２２は、同意記録１１ｃを参照して（ステップＳ３）、利用者によるそのコンテンツの使用許諾契約条項への同意の有無を判定する（ステップＳ４）。
【００４９】
ステップＳ４における判定の結果、その利用者の同意の有無について未だ確認が行われていない場合（図４：未確認記録１１ｃ＿３参照）、および同意記録１１ｃに不同意である旨が記録されている場合（図４：不同意の日付１１ｃ＿２参照）は、表示装置３０２，４０２，５０２にそのコンテンツの使用許諾契約条項１３ａの内容を表示して（ステップＳ５）、使用許諾契約条項１３ａへの利用者による同意の有無を確認する（ステップＳ６）。それとともに、同意確認手段２３は、確認結果に基づき同意記録１１ｃを更新する。なお、ステップＳ５において、コンテンツの使用許諾契約条項１３ａの内容を画面表示するほかに、プリンタやフロッピーディスクなどにより外部出力することもできるようになっている。
【００５０】
次に、ステップＳ６における確認の結果、同意であるか否かが判定され（ステップＳ７）、同意である旨が確認された場合、およびステップＳ４における判定の結果、同意である旨が記録されている場合（図４：同意の日付１１ｃ＿１参照）には、コンテンツ使用許可手段２４は、その利用者に対してそのコンテンツの使用を許可し、そのコンテンツの内容を画面上に表示する（ステップＳ８）。
【００５１】
次に、同意確認手段２３による同意記録１１ｃの更新が行われる（ステップＳ９）。この更新処理では、図４に示した同意記録１１ｃに、利用の日付１１ｃ＿４を記録する。このように、コンテンツを利用した最新の日付を記録しておくことにより、例えばそのコンテンツの利用の日付１１ｃ＿４を検索することによってそのコンテンツの利用状況を把握することが可能であり、長期間利用されないコンテンツをデータベースから削除するなどということができる。ステップＳ９の更新処理が終了すると、次の処理、例えばカルテ参照、カルテ生成・編集などの処理へと進む。
【００５２】
ステップＳ７における判定の結果、不同意である場合には、その利用者に対するコンテンツ１２ａの使用許可は行われず、次の処理、例えばカルテ参照、カルテ生成・編集などの処理へと進む。
【００５３】
なお、本実施形態では、ステップＳ８においてコンテンツの使用が許可された時点で、クライアントマシンの画面上に表示されたカルテ情報の中の所望のキーワードをクリックすることにより、そのキーワードを含むコンテンツをコンテンツデータベース１２（図３参照）の中から検索し、そのキーワードを含むコンテンツが検索された場合はそのコンテンツの内容を画面上に表示するように構成されている。
【００５４】
図６は、本実施形態の表示装置の画面上に表示されたカルテ情報を示す図である。
【００５５】
図６には、クライアントマシンの表示装置の画面３０上に表示されたカルテ情報３１の中の「発熱」なるキーワード３２が利用者によって選択され、その右下方にコンテンツの種類選択窓３３が表示され、その窓の中で「症例集」なるコンテンツの種類が選択された状態が示されている。
【００５６】
図７は、図６のカルテ情報の画面から呼び出されたコンテンツの内容の一部を示す図である。
【００５７】
図７に示すように、クライアントマシンの画面３０上には、図６のカルテ情報３１の画面から呼び出されたコンテンツ「症例集」の中のキーワード３２「発熱」に関するコンテンツ内容３４が表示される。
【００５８】
次に、本実施形態の医療情報システムに備えられた一括登録手段について説明する。
【００５９】
この一括登録手段は、図３に示したようにサーバマシン１００，２００に備えられ、システム管理者の操作に基づき、使用許諾契約条項１３ａおよび同意記録１１ｃを複数の利用者について一括して利用者データベース１１に登録するものである。
【００６０】
図８は、本実施形態のサーバマシンに備えられる一括登録手段の概要図である。
【００６１】
この一括登録手段２６（図３参照）は、図８に示すように、使用許諾契約条項一括登録の機能および同意記録一括登録の機能を備えており、コンテンツデータベース１２に記憶されたコンテンツについての各利用者別の使用許諾契約条項および同意記録を一括登録する。さらに、そのほかに、コンテンツ自体を登録するコンテンツ登録機能、使用許諾契約条項・同意記録の表示・印刷機能、コンテンツ利用状況の表示・印刷機能などを備えている。
【００６２】
次に、本実施形態の医療情報プログラム記憶媒体について説明する。
【００６３】
図９は、本実施形態の医療情報プログラム記憶媒体の概略構成図である。
【００６４】
図９に示すように、本実施形態の医療情報プログラム記憶媒体４０には、上記の、利用権認証手段２１、同意有無判定手段２２、同意確認手段２３、コンテンツ使用許可手段２４、外部出力手段２５、および一括登録手段２６を備えた医療情報プログラム２０が記憶される。
【００６５】
なお、医療情報プログラム記憶媒体４０の記憶媒体の種類は特に限定されるものではなく、医療情報プログラム２０を記憶することのできる記憶媒体であればどのような記憶媒体でもよい。例えば、ＣＤ−ＲＯＭ、ＣＤ−Ｒ／ＲＷ、ＭＯ（光磁気ディスク）、フロッピーディスクなどの所望の記憶媒体を用いることができる。
【００６６】
このような医療情報プログラム記憶媒体４０に記憶された医療情報プログラム２０をクライアントマシン３００，４００，５００（図１参照）のＣＤ−ＲＯＭドライブ３０１ｂ，４０１ｂ，５０１ｂ（図１参照）に装填して医療情報プログラム２０をこれら各クライアントマシンに読み込ませてクライアントマシン内の記憶装置にインストールすることにより本発明の医療情報システムを容易に構築することができる。
【００６７】
【発明の効果】
以上説明したように、本発明の医療情報システムによれば、カルテ情報を含む医療情報が記憶された医療データベースを、コンテンツが記憶されたコンテンツデータベースを含むとともに、該医療データベースの利用者の利用権を認証するための認証情報と、前記コンテンツについて、該コンテンツの提供者との間に締結された該コンテンツの使用許諾契約条項と、該使用許諾契約条項に対する利用者別の同意の有無を記録した同意記録とが記憶された利用者データベースを含むものとするとともに、同意有無判定手段と、同意確認手段と、コンテンツ使用許可手段とを備えたことにより、コンテンツの使用許諾契約条項に対する利用者の同意の有無を管理することのできる医療情報システムを実現することができる。
【００６８】
また、本発明の医療情報プログラム記憶媒体によれば、上記の医療情報システムをコンピュータシステム上に容易に構築することができる。
【図面の簡単な説明】
【図１】本発明の医療情報システムの一実施形態が構築されてなるコンピュータシステムの一部分を示す図である。
【図２】図１に示す外観を有する医療情報システム（コンピュータシステム）のハードウェア構成図である。
【図３】本発明の医療情報システムの一実施形態の概略構成図である。
【図４】本実施形態における利用者データベース内の同意記録の内容を示す図である。
【図５】本発明の医療情報システムの一実施形態の動作を示す流れ図である。
【図６】本実施形態の表示装置の画面上に表示されたカルテ情報を示す図である。
【図７】図６のカルテ情報の画面から呼び出されたコンテンツの内容の一部を示す図である。
【図８】本実施形態のサーバマシンに備えられる一括登録手段の概要図である。
【図９】本実施形態の医療情報プログラム記憶媒体の概略構成図である。
【図１０】ソフトウエアの使用許諾契約書の一例を示す図である。
【符号の説明】
１    医療情報システム
１０    医療データベース
１１    利用者データベース
１１ａ    認証情報
１１ｃ    同意記録
１１ｃ＿１    同意の日付
１１ｃ＿２    不同意の日付
１１ｃ＿３    未確認である旨の記録
１１ｃ＿４    利用の日付
１２    コンテンツデータベース
１２ａ    コンテンツ
１３    使用許諾条件管理データベース
１３ａ    使用許諾契約条項
２０    医療情報プログラム
２１    利用権認証手段
２２    同意有無判定手段
２３    同意確認手段
２４    コンテンツ使用許可手段
２５    外部出力手段
２６    一括登録手段
３０    画面
３１    カルテ情報
３２    キーワード
３３    選択窓
３４    コンテンツ内容
４０    医療情報プログラム記憶媒体
１００，２００    サーバマシン
１０１，２０１，３０１，４０１，５０１    本体部
１０１ａ，２０１ａ，３０１ａ，４０１ａ，５０１ａ    ＦＤドライブ
１０１ｂ，２０１ｂ，３０１ｂ，４０１ｂ，５０１ｂ    ＣＤ−ＲＯＭドライブ
１０２，２０２，３０２，４０２，５０２    表示装置
１０２ａ，２０２ａ，３０２ａ，４０２ａ，５０２ａ    表示画面
１０３，２０３，３０３，４０３，５０３    キーボード
１０４，２０４，３０４，４０４，５０４    マウス
１１０    バス
１１１    ＣＰＵ
１１２    ＲＡＭ
１１３    ハードディスクコントローラ
１１４    フロッピーディスクドライバ
１１５    ＣＤ−ＲＯＭドライバ
１１６    マウスコントローラ
１１７    キーボードコントローラ
１１８    ディスプレイコントローラ
１１９    通信用ボード
１２０    ハードディスク
３００，４００，５００    クライアントマシン
６００    通信ネットワーク
７００    ＣＤ−ＲＯＭ
７１０    フロッピーディスク
【図１】
0003782921.tif 000002
【図２】
0003782921.tif 000003
【図３】
0003782921.tif 000004
【図４】
0003782921.tif 000005
【図５】
0003782921.tif 000006
【図６】
0003782921.tif 000007
【図７】
0003782921.tif 000008
【図８】
0003782921.tif 000009
【図９】
0003782921.tif 000010
【図１０】
0003782921.tif 000011